(57)【特許請求の範囲】
【請求項１】
端末の立ち上がり周期を調整する方法であって、
端末が存在する位置エリアにおいてネットワーク側デバイスがページングメッセージを再送信したか否かを判定するステップと、
ページングメッセージが再送信された場合、前記ページングメッセージが再送信された時間間隔と、前記ページングメッセージが再送信された回数Rとを取得するステップと、
予め設定された時間を待機し、中断イベントが前記予め設定された時間に生じなかった場合に、前記待機が終わった後に、前記端末の立ち上がり周期を前記ページングメッセージが再送信された時間間隔のN倍に調整するステップであり、ただし、Nは整数であり、2≦N≦Rであるステップと、
中断イベントが前記予め設定された時間に生じた場合、前記中断イベントが生じた時間から、前記予め設定された時間を再び待機し、前記端末の立ち上がり周期を前記ページングメッセージが再送信された時間間隔のN倍に調整するステップと
を有する方法。
【請求項２】
端末が存在する位置エリアにおいてネットワーク側デバイスがページングメッセージを再送信したか否かを判定することは、前記端末が調整前の２つの連続した立ち上がり周期に同じページングメッセージを受信したか否かを判定し、そうである場合、前記ページングメッセージが再送信されたと判定することであり、
前記ページングメッセージが再送信された時間間隔と、前記ページングメッセージが再送信された回数Rとを取得することは、前記ページングメッセージが再送信された前記取得された時間間隔として、調整前の立ち上がり周期を使用し、前記ページングメッセージが再送信された回数Rとして2を使用することであり、
前記端末の立ち上がり周期を前記ページングメッセージが再送信された時間間隔のN倍に調整することは、前記端末の立ち上がり周期を調整前の立ち上がり周期の２倍に調整することである、請求項１に記載の方法。
【請求項３】
前記端末が調整前の２つの連続した立ち上がり周期に同じページングメッセージを受信したか否かを判定することは、前記端末が調整前の２つの連続した立ち上がり周期に立ち上がったときに他の端末のページングメッセージを受信した場合、この２回の立ち上がりの間に受信した前記ページングメッセージが同じであるか否かを判定するための比較を実行し、
そうである場合、前記ページングメッセージが再送信されたと判定し、
そうでない場合、ページングメッセージが再送信されなかったと判定することを有する、請求項２に記載の方法。
【請求項４】
端前記末が調整前の２つの連続した立ち上がり周期に同じページングメッセージを受信したか否かを判定することは、
前記端末が調整前の２つの連続した立ち上がり周期に立ち上がったときに他の端末のページングメッセージを受信した場合、この２回の立ち上がりの間に受信した前記ページングメッセージが同じであるか否かを判定するための比較を実行し、
そうである場合、前記ページングメッセージが再送信されたと判定し、
そうでない場合、異なるという判定の回数を１だけ増加し、前記異なるという判定の回数が第１の予め設定された回数より大きい場合、ページングメッセージが再送信されなかったと判定し、前記異なるという判定の回数が前記第１の予め設定された回数より大きくない場合、前記ページングメッセージが再送信されたと判定されるまで、又は、ページングメッセージが再送信されなかったと判定されるまで、前記端末が前の比較の間に調整前の２つの連続した立ち上がり周期のうち後者で立ち上がったときに受信したページングメッセージと、前記端末が調整前の次の立ち上がり周期で立ち上がったときに受信したページングメッセージとが同じであるか否かを判定し続けることを有する、請求項２に記載の方法。
【請求項５】
端末が存在する位置エリアにおいてネットワーク側デバイスがページングメッセージを再送信したか否かを判定することは、前記端末が調整前のM個の連続した立ち上がり周期に同じページングメッセージを連続して受信した最大回数Xが1より大きいか否かを判定し、Xが1より大きい場合、前記ページングメッセージが再送信されたと判定し、ただし、Mは１より大きい整数であり、
前記ページングメッセージが再送信された時間間隔と、前記ページングメッセージが再送信された回数Rとを取得することは、前記ページングメッセージが再送信された時間間隔として、調整前の立ち上がり周期を使用し、前記ページングメッセージが再送信された回数RとしてXを使用することであり、
前記端末の立ち上がり周期を前記ページングメッセージが再送信された時間間隔のN倍に調整することは、前記端末の立ち上がり周期を調整前の立ち上がり周期のN倍に調整することであり、ただし、N≦Xである、請求項１に記載の方法。
【請求項６】
前記端末が存在する位置エリアにおいてネットワーク側デバイスがページングメッセージを再送信したか否かを判定することは、Xが１に等しい場合、ページングメッセージが再送信されなかったと判定することを更に有する、請求項５に記載の方法。
【請求項７】
前記端末が新たな位置エリアに入った場合、前記端末の立ち上がり周期の進行中の調整を中断するステップを更に有する、請求項１ないし６のうちいずれか１項に記載の方法。
【請求項８】
コンピュータプログラムがコンピュータで実行された場合、請求項１ないし７のうちいずれか１項に記載の端末の立ち上がり周期を調整する方法を実行するために使用されるプログラムコードを有するコンピュータプログラム。
【請求項９】
端末が存在する位置エリアにおいてネットワーク側デバイスがページングメッセージを再送信したか否かを判定するように構成された判定ユニットと、
ページングメッセージが再送信されたと前記判定ユニットが判定した場合、前記ページングメッセージが再送信された時間間隔と、前記ページングメッセージが再送信された回数Rとを取得し、予め設定された時間を待機し、中断イベントが前記予め設定された時間に生じなかった場合に、前記待機が終わった後に、前記端末の立ち上がり周期を前記ページングメッセージが再送信された時間間隔のN倍に調整し、中断イベントが前記予め設定された時間に生じた場合、前記中断イベントが生じた時間から、前記予め設定された時間を再び待機し、前記端末の立ち上がり周期を前記ページングメッセージが再送信された時間間隔のN倍に調整するように構成された調整ユニットと
を有し、ただし、Nは整数であり、2≦N≦Rである装置。
【請求項１０】
前記判定ユニットは、前記端末が調整前の２つの連続した立ち上がり周期に同じページングメッセージを受信したか否かを判定し、そうである場合、前記ページングメッセージが再送信されたと判定するように構成された第１のサブユニットを有し、
前記調整ユニットは、前記ページングメッセージが再送信された前記取得された時間間隔として、調整前の立ち上がり周期を使用し、前記ページングメッセージが再送信された回数Rとして2を使用し、前記端末の立ち上がり周期を調整前の立ち上がり周期の２倍に調整するように構成される、請求項９に記載の装置。
【請求項１１】
前記第１のサブユニットは、前記端末が調整前の２つの連続した立ち上がり周期に立ち上がったときに他の端末のページングメッセージを受信した場合、この２回の立ち上がりの間に受信した前記ページングメッセージが同じであるか否かを判定するための比較を実行し、
そうである場合、前記ページングメッセージが再送信されたと判定し、
そうでない場合、ページングメッセージが再送信されなかったと判定するように更に構成される、請求項１０に記載の装置。
【請求項１２】
前記第１のサブユニットは、前記端末が調整前の２つの連続した立ち上がり周期に立ち上がったときに他の端末のページングメッセージを受信した場合、この２回の立ち上がりの間に受信した前記ページングメッセージが同じであるか否かを判定するための比較を実行し、
そうである場合、前記ページングメッセージが再送信されたと判定し、
そうでない場合、異なるという判定の回数を１だけ増加し、前記異なるという判定の回数が第１の予め設定された回数より大きい場合、ページングメッセージが再送信されなかったと判定し、前記異なるという判定の回数が前記第１の予め設定された回数より大きくない場合、前記ページングメッセージが再送信されたと判定されるまで、又は、ページングメッセージが再送信されなかったと判定されるまで、前記端末が前の比較の間に調整前の２つの連続した立ち上がり周期のうち後者で立ち上がったときに受信したページングメッセージと、前記端末が調整前の次の立ち上がり周期で立ち上がったときに受信したページングメッセージとが同じであるか否かを判定し続けるように更に構成される、請求項１０に記載の装置。
【請求項１３】
前記判定ユニットは、前記端末が前記端末の調整前のM個の連続した立ち上がり周期に同じページングメッセージを連続して受信した最大回数Xが1より大きいか否かを判定し、Xが1より大きい場合、前記ページングメッセージが再送信されたと判定するように構成された第２のサブユニットを更に有し、ただし、Mは１より大きい整数であり、
前記調整ユニットは、前記ページングメッセージが再送信された時間間隔として、調整前の立ち上がり周期を使用し、前記ページングメッセージが再送信された回数RとしてXを使用し、前記端末の立ち上がり周期を調整前の立ち上がり周期のN倍に調整するように構成され、ただし、N≦Xである、請求項９ないし１２のうちいずれか１項に記載の装置。
【請求項１４】
前記第２のサブユニットは、Xが１に等しい場合、ページングメッセージが再送信されなかったと判定するように更に構成される、請求項１３に記載の装置。
【請求項１５】
前記調整ユニットは、前記端末が新たな位置エリアに入った場合、前記端末の立ち上がり周期の進行中の調整を中断するように更に構成される、請求項９ないし１４のうちいずれか１項に記載の装置。
【請求項１６】
１つ以上のコンピュータプログラムを格納するように構成されたコンピュータ可読記憶媒体であって、
前記１つ以上のコンピュータプログラムは、コンピュータプログラムがコンピュータで実行された場合、請求項１ないし７のうちいずれか１項に記載の端末の立ち上がり周期を調整する方法を実行するために使用されるプログラムコードを有するコンピュータ可読記憶媒体。
【発明の詳細な説明】
【技術分野】
【０００１】
本発明は、通信用途の分野に関し、特に、端末の立ち上がり周期（wake-up  period）を調整する方法、装置、端末、コンピュータプログラム及び記憶媒体に関する。
【背景技術】
【０００２】
無線端末（例えば、移動電話、データカード又はタブレットコンピュータ）がネットワークと通信する場合、無線端末は、アイドル状態と接続状態との間を切り替えることがある。無線端末の電気エネルギー消費を低減するため、無線端末がアイドル状態にある場合、無線端末は、しばしば間欠受信（DRX：Discontinuous  Reception）方法でページングチャネルを受信する。無線端末は、サービングセルが存在する位置の標準に従って各DRX周期（DRX  period）のページング機会に立ち上がり（この時点で無線端末の立ち上がり周期はDRX周期である）、ページングチャネルを通じてネットワーク側デバイスにより配信されたページングメッセージを受信する。受信したページングメッセージが処理される必要がない場合（例えば、ページングメッセージが同じページンググループの他の無線端末に対して送信される場合）、無線端末は、ページング機会が終了した後にスリープになる。受信したページングメッセージが処理される必要がある場合（例えば、ページングメッセージが無線端末自体に対するものである場合）、無線端末は、メッセージを処理するためにアイドル状態から接続状態に切り替わる。一方、無線端末は、ページングメッセージ以外の他のメッセージ（例えば、いくつかの制御チャネル又は現在のページングチャネルがアイドルであることを示すメッセージ）も受信することがある。図１は、無線端末がアイドル状態にある場合の時系列である。
【発明の概要】
【発明が解決しようとする課題】
【０００３】
従来技術では、様々なネットワークでDRX周期を判定する方法が異なる。例えば、中国のGSM（登録商標）システムでは、DRX周期は通常ではネットワーク側により470ms又は940msに設定される。WCDMA（登録商標）システムでは、DRX周期は通常ではネットワーク側により640msに設定される。CDMAシステム及びLTEシステムでは、DRX周期はそのサービス状況に従ってネットワーク側との交渉を通じてしばしば無線端末により判定される。
【０００４】
DRX周期を判定する前述の方法から、移動端末が適切にDRX周期を調整できないことが分かる。ネットワークがページングメッセージ配信中にページング再送信を採用する場合であっても、すなわち、複数回の同じページングメッセージの配信中に、移動端末は、ネットワーク側により判定されたDRX周期に従って依然として立ち上がる。これは、不要な電力消費を生じることがある。
【０００５】
本発明の実施例は、端末が存在する位置エリアにおいてネットワーク側デバイスの特性に従って立ち上がり周期を適応的に調整し得るような、端末の立ち上がり周期を調整する方法、装置、端末、コンピュータプログラム及び記憶媒体を提供し、これにより、不要な電力消費を低減し、端末の待機時間を延ばす。
【課題を解決するための手段】
【０００６】
本発明の第１の態様によれば、端末の立ち上がり周期を調整する方法は、端末が存在する位置エリアにおいてネットワーク側デバイスがページングメッセージを再送信したか否かを判定し、ページングメッセージが再送信された場合、ページングメッセージが再送信された時間間隔と、ページングメッセージが再送信された回数Rとを取得し、端末の立ち上がり周期をページングメッセージが再送信された時間間隔のN倍に調整することを含み、ただし、Nは整数であり、2≦N≦Rである。
【０００７】
第１の態様の第１の可能な実装方法では、端末が存在する位置エリアにおいてネットワーク側デバイスがページングメッセージを再送信したか否かを判定することは、特に、端末が調整前の２つの連続した立ち上がり周期に同じページングメッセージを受信したか否かを判定し、そうである場合、ページングメッセージが再送信されたと判定することであり、ページングメッセージが再送信された時間間隔と、ページングメッセージが再送信された回数Rとを取得することは、特に、ページングメッセージが再送信された取得された時間間隔として、調整前の立ち上がり周期を使用し、ページングメッセージが再送信された回数Rとして2を使用することであり、端末の立ち上がり周期をページングメッセージが再送信された時間間隔のN倍に調整することは、特に、端末の立ち上がり周期を調整前の立ち上がり周期の２倍に調整することである。
【０００８】
第１の態様の第１の可能な実装方法と組み合わせて、第１の態様の第２の可能な実装方法では、端末が調整前の２つの連続した立ち上がり周期に同じページングメッセージを受信したか否かを判定することは、端末が調整前の２つの連続した立ち上がり周期に立ち上がったときに他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、ページングメッセージが再送信されなかったと判定することを含む。
【０００９】
第１の態様の第１の可能な実装方法と組み合わせて、第１の態様の第３の可能な実装方法では、端末が調整前の２つの連続した立ち上がり周期に同じページングメッセージを受信したか否かを判定することは、端末が調整前の２つの連続した立ち上がり周期に立ち上がったときに他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、異なるという判定の回数を１だけ増加し、異なるという判定の回数が第１の予め設定された回数より大きい場合、ページングメッセージが再送信されなかったと判定し、異なるという判定の回数が第１の予め設定された回数より大きくない場合、ページングメッセージが再送信されたと判定されるまで、又は、ページングメッセージが再送信されなかったと判定されるまで、端末が前の比較の間に調整前の２つの連続した立ち上がり周期のうち後者で立ち上がったときに受信したページングメッセージと、端末が調整前の次の立ち上がり周期で立ち上がったときに受信したページングメッセージとが同じであるか否かを判定し続けることを含む。
【００１０】
第１の態様の第２又は第３の可能な実装方法と組み合わせて、第１の態様の第４の可能な実装方法では、端末が調整前の２つの連続した立ち上がり周期に同じページングメッセージを受信したか否かを判定することは、端末が調整前のいずれかの立ち上がり周期で立ち上がったときにページングチャネルがアイドルであることを示すメッセージを受信した場合、ページングチャネルがアイドルであることを示すメッセージを破棄することを含む。
【００１１】
第１の態様の４の可能な実装方法と組み合わせて、第１の態様の第５の可能な実装方法では、ページングチャネルがアイドルであることを示すメッセージを破棄した後に、この方法はまた、ページングチャネルがアイドルであることを示すメッセージを受信した回数を１だけ増加し、ページングチャネルがアイドルであることを示すメッセージを受信した回数が第２の予め設定された閾値より大きい場合、ページングメッセージが再送信されなかったと判定し、ページングチャネルがアイドルであることを示すメッセージを受信した回数が第２の予め設定された回数より大きくない場合、ページングチャネルがアイドルであることを示すメッセージが受信された後に、端末が調整前の２つの連続した立ち上がり周期に同じページングメッセージを受信したか否かを判定し続けることを含む。
【００１２】
第１の態様の第６の実装方法では、端末が存在する位置エリアにおいてネットワーク側デバイスがページングメッセージを再送信したか否かを判定することは、特に、端末が調整前のM個の連続した立ち上がり周期に同じページングメッセージを連続して受信した最大回数Xが1より大きいか否かを判定し、Xが1より大きい場合、ページングメッセージが再送信されたと判定し、ただし、Mは１より大きい整数であり、ページングメッセージが再送信された時間間隔と、ページングメッセージが再送信された回数Rとを取得することは、特に、ページングメッセージが再送信された時間間隔として、調整前の立ち上がり周期を使用し、ページングメッセージが再送信された回数RとしてXを使用することであり、端末の立ち上がり周期をページングメッセージが再送信された時間間隔のN倍に調整することは、特に、端末の立ち上がり周期を調整前の立ち上がり周期のN倍に調整することであり、ただし、N≦Xである。
【００１３】
第１の態様の第６の可能な実装方法と組み合わせて、第１の態様の第７の可能な実装方法では、端末が存在するネットワークが現在の位置エリアにおいてページングメッセージを再送信したか否かを判定することは、Xが１に等しい場合、ページングメッセージが再送信されなかったと判定することを含む。
【００１４】
第１の態様及び第１の態様の第１から第７の可能な実装方法のいずれか１つと組み合わせて、第１の態様の第８の可能な実装方法では、端末の立ち上がり周期をページングメッセージが再送信された時間間隔のN倍に調整する前に、この方法はまた、予め設定された時間を待機し、中断イベントが予め設定された時間に生じなかった場合に、待機が終わった後に、端末の立ち上がり周期をページングメッセージが再送信された時間間隔のN倍に調整し、中断イベントが予め設定された時間に生じた場合、中断イベントが生じた時間から、予め設定された時間を再び待機し、端末の立ち上がり周期をページングメッセージが再送信された時間間隔のN倍に調整することを含む。
【００１５】
第１の態様及び第１の態様の第１から第８の可能な実装方法のいずれか１つと組み合わせて、第１の態様の第９の可能な実装方法では、この方法はまた、端末が新たな位置エリアに入った場合、端末の立ち上がり周期の進行中の調整を中断することを含む。
【００１６】
本発明の第２の態様によれば、コンピュータプログラムは、コンピュータプログラムがコンピュータで実行された場合、第１の態様及び第１の態様の第１から第９の実装方法のいずれか１つにおける端末の立ち上がり周期を調整する方法を実行するために使用されるプログラムコードを含む。
【００１７】
本発明の第３の態様によれば、装置は、端末が存在する位置エリアにおいてネットワーク側デバイスがページングメッセージを再送信したか否かを判定するように構成された判定ユニットと、ページングメッセージが再送信されたと判定ユニットが判定した場合、ページングメッセージが再送信された時間間隔と、ページングメッセージが再送信された回数Rとを取得し、端末の立ち上がり周期をページングメッセージが再送信された時間間隔のN倍に調整するように構成された調整ユニットとを含み、ただし、Nは整数であり、2≦N≦Rである。
【００１８】
第３の態様の第１の可能な実装方法では、判定ユニットは、端末が調整前の２つの連続した立ち上がり周期に同じページングメッセージを受信したか否かを判定し、そうである場合、ページングメッセージが再送信されたと判定するように構成された第１のサブユニットを含み、調整ユニットは、ページングメッセージが再送信された取得された時間間隔として、調整前の立ち上がり周期を使用し、ページングメッセージが再送信された回数Rとして2を使用し、端末の立ち上がり周期を調整前の立ち上がり周期の２倍に調整するように特に構成される。
【００１９】
第３の態様の第１の可能な実装方法と組み合わせて、第３の態様の第２の可能な実装方法では、第１のサブユニットは、端末が調整前の２つの連続した立ち上がり周期に立ち上がったときに他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、ページングメッセージが再送信されなかったと判定するように更に構成される。
【００２０】
第３の態様の第１の可能な実装方法と組み合わせて、第３の態様の第３の可能な実装方法では、第１のサブユニットは、端末が調整前の２つの連続した立ち上がり周期に立ち上がったときに他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、異なるという判定の回数を１だけ増加し、異なるという判定の回数が第１の予め設定された回数より大きい場合、ページングメッセージが再送信されなかったと判定し、異なるという判定の回数が第１の予め設定された回数より大きくない場合、ページングメッセージが再送信されたと判定されるまで、又は、ページングメッセージが再送信されなかったと判定されるまで、端末が前の比較の間に調整前の２つの連続した立ち上がり周期のうち後者で立ち上がったときに受信したページングメッセージと、端末が調整前の次の立ち上がり周期で立ち上がったときに受信したページングメッセージとが同じであるか否かを判定し続けるように更に構成される。
【００２１】
第３の態様の第２又は第３の可能な実装方法と組み合わせて、第３の態様の第４の可能な実装方法では、第１のサブユニットは、端末が調整前のいずれかの立ち上がり周期で立ち上がったときにページングチャネルがアイドルであることを示すメッセージを受信した場合、ページングチャネルがアイドルであることを示すメッセージを破棄するように更に構成される。
【００２２】
第３の態様の４の可能な実装方法と組み合わせて、第３の態様の第５の可能な実装方法では、第１のサブユニットは、ページングチャネルがアイドルであることを示すメッセージが破棄された後に、ページングチャネルがアイドルであることを示すメッセージを受信した回数を１だけ増加し、ページングチャネルがアイドルであることを示すメッセージを受信した回数が第２の予め設定された閾値より大きい場合、ページングメッセージが再送信されなかったと判定し、ページングチャネルがアイドルであることを示すメッセージを受信した回数が第２の予め設定された回数より大きくない場合、ページングチャネルがアイドルであることを示すメッセージが受信された後に、端末が調整前の２つの連続した立ち上がり周期に同じページングメッセージを受信したか否かを判定し続けるように更に構成される。
【００２３】
第３の態様及び第３の態様の第１から第５の可能な実装方法のいずれか１つと組み合わせて、第３の態様の第６の実装方法では、判定ユニットはまた、端末が調整前のM個の連続した立ち上がり周期に同じページングメッセージを連続して受信した最大回数Xが1より大きいか否かを判定し、Xが1より大きい場合、ページングメッセージが再送信されたと判定するように構成された第２のサブユニットを含み、ただし、Mは１より大きい整数であり、調整ユニットは、ページングメッセージが再送信された時間間隔として、調整前の立ち上がり周期を使用し、ページングメッセージが再送信された回数RとしてXを使用し、端末の立ち上がり周期を調整前の立ち上がり周期のN倍に調整するように特に構成され、ただし、N≦Xである。
【００２４】
第３の態様の第６の可能な実装方法と組み合わせて、第３の態様の第７の可能な実装方法では、第２のサブユニットは、Xが１に等しい場合、ページングメッセージが再送信されなかったと判定するように更に構成される。
【００２５】
第３の態様及び第３の態様の第１から第７の可能な実装方法のいずれか１つと組み合わせて、第３の態様の第８の可能な実装方法では、調整ユニットは、端末の立ち上がり周期をページングメッセージが再送信された時間間隔のN倍に調整する前に、予め設定された時間を待機し、中断イベントが予め設定された時間に生じなかった場合に、待機が終わった後に、端末の立ち上がり周期をページングメッセージが再送信された時間間隔のN倍に調整し、中断イベントが予め設定された時間に生じた場合、中断イベントが生じた時間から、予め設定された時間を再び待機し、端末の立ち上がり周期をページングメッセージが再送信された時間間隔のN倍に調整するように更に構成される。
【００２６】
第３の態様及び第３の態様の第１から第８の可能な実装方法のいずれか１つと組み合わせて、第３の態様の第９の可能な実装方法では、調整ユニットは、端末が新たな位置エリアに入った場合、端末の立ち上がり周期の進行中の調整を中断するように更に構成される。
【００２７】
本発明の第４の態様によれば、端末は、少なくとも１つのプロセッサを含み、少なくとも１つのプロセッサは、端末が存在する位置エリアにおいてネットワーク側デバイスがページングメッセージを再送信したか否かを判定し、ページングメッセージが再送信された場合、ページングメッセージが再送信された時間間隔と、ページングメッセージが再送信された回数Rとを取得し、端末の立ち上がり周期をページングメッセージが再送信された時間間隔のN倍に調整するように構成され、ただし、Nは整数であり、2≦N≦Rである。
【００２８】
本発明の第４の態様の第１の可能な実装方法では、端末はまた、端末が調整前の各立ち上がり周期に立ち上がったときに、ネットワーク側デバイスにより配信されたメッセージを受信するように構成された受信機を含む。
【００２９】
第４の態様及び第４の態様の第１の可能な実装方と組み合わせて、第４の態様の第２の可能な実装方法では、少なくとも１つのプロセッサは、端末が調整前の２つの連続した立ち上がり周期に同じページングメッセージを受信したか否かを判定し、そうである場合、ページングメッセージが再送信されたと判定し、ページングメッセージが再送信された取得された時間間隔として、調整前の立ち上がり周期を使用し、ページングメッセージが再送信された回数Rとして2を使用し、端末の立ち上がり周期を調整前の立ち上がり周期の２倍に調整するように特に構成される。
【００３０】
第４の態様の第２の可能な実装方法と組み合わせて、第４の態様の第３の可能な実装方法では、少なくとも１つのプロセッサは、端末が調整前の２つの連続した立ち上がり周期に立ち上がったときに受信機が他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、ページングメッセージが再送信されなかったと判定するように更に構成される。
【００３１】
第４の態様の第２の可能な実装方法と組み合わせて、第４の態様の第４の可能な実装方法では、少なくとも１つのプロセッサは、端末が調整前の２つの連続した立ち上がり周期に立ち上がったときに受信機が他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、異なるという判定の回数を１だけ増加し、異なるという判定の回数が第１の予め設定された回数より大きい場合、ページングメッセージが再送信されなかったと判定し、異なるという判定の回数が第１の予め設定された回数より大きくない場合、ページングメッセージが再送信されたと判定されるまで、又は、ページングメッセージが再送信されなかったと判定されるまで、端末が前の比較の間に調整前の２つの連続した立ち上がり周期のうち後者で立ち上がったときに受信したページングメッセージと、端末が調整前の次の立ち上がり周期で立ち上がったときに受信したページングメッセージとが同じであるか否かを判定し続けるように更に構成される。
【００３２】
第４の態様の第３又は第４の可能な実装方法と組み合わせて、第４の態様の第５の可能な実装方法では、少なくとも１つのプロセッサは、端末が調整前のいずれかの立ち上がり周期で立ち上がったときにページングチャネルがアイドルであることを示すメッセージを受信機が受信した場合、ページングチャネルがアイドルであることを示すメッセージを破棄するように更に構成される。
【００３３】
第４の態様の５の可能な実装方法と組み合わせて、第４の態様の第６の可能な実装方法では、少なくとも１つのプロセッサは、ページングチャネルがアイドルであることを示すメッセージが破棄された後に、ページングチャネルがアイドルであることを示すメッセージを受信した回数を１だけ増加し、ページングチャネルがアイドルであることを示すメッセージを受信した回数が第２の予め設定された閾値より大きい場合、ページングメッセージが再送信されなかったと判定し、ページングチャネルがアイドルであることを示すメッセージを受信した回数が第２の予め設定された回数より大きくない場合、ページングチャネルがアイドルであることを示すメッセージが受信された後に、端末が調整前の２つの連続した立ち上がり周期に同じページングメッセージを受信したか否かを判定し続けるように更に構成される。
【００３４】
第４の態様及び第４の態様の第１から第６の可能な実装方法のいずれか１つと組み合わせて、第４の態様の第７の実装方法では、少なくとも１つのプロセッサは、受信機が端末の調整前のM個の連続した立ち上がり周期に同じページングメッセージを連続して受信した最大回数Xが1より大きいか否かを判定し、Xが1より大きい場合、ページングメッセージが再送信されたと判定し、ただし、Mは１より大きい整数であり、ページングメッセージが再送信された時間間隔として、調整前の立ち上がり周期を使用し、ページングメッセージが再送信された回数RとしてXを使用し、端末の立ち上がり周期を調整前の立ち上がり周期のN倍に調整するように更に構成され、ただし、N≦Xである。
【００３５】
第４の態様の第７の可能な実装方法と組み合わせて、第４の態様の第８の可能な実装方法では、少なくとも１つのプロセッサは、Xが１に等しい場合、ページングメッセージが再送信されなかったと判定するように更に構成される。
【００３６】
第４の態様及び第４の態様の第１から第８の可能な実装方法のいずれか１つと組み合わせて、第４の態様の第９の可能な実装方法では、少なくとも１つのプロセッサは、端末の立ち上がり周期をページングメッセージが再送信された時間間隔のN倍に調整する前に、予め設定された時間を待機し、中断イベントが予め設定された時間に生じなかった場合に、待機が終わった後に、端末の立ち上がり周期をページングメッセージが再送信された時間間隔のN倍に調整し、中断イベントが予め設定された時間に生じた場合、中断イベントが生じた時間から、予め設定された時間を再び待機し、端末の立ち上がり周期をページングメッセージが再送信された時間間隔のN倍に調整するように更に構成される。
【００３７】
第４の態様及び第４の態様の第１から第９の可能な実装方法のいずれか１つと組み合わせて、第４の態様の第１０の可能な実装方法では、少なくとも１つのプロセッサは、端末が新たな位置エリアに入った場合、端末の立ち上がり周期の進行中の調整を中断するように更に構成される。
【００３８】
本発明の第５の態様によれば、コンピュータ可読記憶媒体は、１つ以上のコンピュータプログラムを格納するように構成され、コンピュータプログラムは、コンピュータプログラムがコンピュータで実行された場合、第１の態様及び第１の態様の第１から第９の実装方法のいずれか１つにおける端末の立ち上がり周期を調整する方法を実行するために使用されるプログラムコードを含む。
【００３９】
前述の対策から分かるように、本発明の実施例で提供される方法、装置、端末、コンピュータプログラム及び記憶媒体によれば、ネットワークが現在の位置エリアにおいてページングメッセージを再送信したか否かが識別される。ページングメッセージが再送信された場合、ページングメッセージが再送信された時間間隔及びページングメッセージ再送信された回数Rが取得され、端末の立ち上がり周期は、ページングメッセージが再送信された時間間隔のN倍（2≦N≦R）に調整される。これにより、ネットワーク側デバイスが現在の位置エリアにおいてページングメッセージを再送信する性能を有する場合、端末は、依然としてネットワーク側により設定されたDRX周期に従って立ち上がる必要はなくなるため、端末の電気エネルギー消費を低減し、端末の待機時間を延ばす。
【図面の簡単な説明】
【００４０】
【図１】端末がアイドルモードにあるときの時系列
【図２】無線通信システムの概略構成図
【図３】本発明の実施例１に従って端末の立ち上がり周期を調整する方法の概略フローチャート
【図４】本発明の実施例２に従って端末の立ち上がり周期を調整する方法の概略フローチャート
【図５ａ】本発明の実施例３に従って端末の立ち上がり周期を調整する方法の概略フローチャート
【図５ｂ】ステップ501の第１の実装方法の概略フローチャート
【図５ｃ】ステップ501の第２の実装方法の概略フローチャート
【図６ａ】本発明の実施例６による装置の第１の実装方法の概略構成図
【図６ｂ】本発明の実施例６による装置の第２の実装方法の概略構成図
【図６ｃ】本発明の実施例６による装置の第７の実装方法の概略構成図
【図７】本発明の実施例７による端末の概略構成図
【図８】本発明の実施例による移動電話の概略構成図
【発明を実施するための形態】
【００４１】
本発明の実施例で提供される方法、装置、端末、コンピュータプログラム及び記憶媒体によれば、端末が存在する位置エリアにおいてネットワーク側デバイスがページングメッセージを再送信する機構を有する場合、端末は、依然としてネットワークにより設定されたDRX周期に従って立ち上がる必要はなくなり、ページングメッセージの再送信の状態に従って、端末の立ち上がり時間も対応して調整され得る。これにより、端末の不要な立ち上がりの回数を低減し、端末の電力消費を低減し、端末の待機時間を延ばす。添付図面を参照して、特定の実装方法について以下に説明する。
【００４２】
以下の実施例では、端末は、移動電話、固定局、パーソナルデジタルアシスタント（PDA：personal  digital  assistant）、無線モデム、タブレットコンピュータ及びノートブックコンピュータのように、ネットワークと無線で通信することができる無線端末を含むだけでなく、有線でネットワークと通信し、周期的に立ち上がる固定端末を含んでもよい点に留意すべきである。
【００４３】
本発明の実施例は、DRX周期を使用する様々な無線通信システム（例えば、GSMシステム、WCDMAシステム、CDMAシステム及びLTEシステム）に適用可能であり、また、DRX周期を使用する様々な有線通信ネットワークにも適用可能である。以下の実施例は、説明のために無線通信ネットワークを例に挙げる。
【００４４】
図２は、典型的な無線通信システムを示している。無線通信システムは、ネットワーク側デバイスと無線端末とを含み、ネットワーク側デバイスは、ページングチャネルを通じてページングメッセージ又は他のメッセージを無線端末に送信する。ここでのネットワーク側デバイスは、実際の要求に従って、基地局（例えば、Node  B）と無線ネットワークコントローラとを含んでもよく、ここでの無線端末は、移動電話、パーソナルデジタルアシスタント（PDA）、無線モデム、タブレットコンピュータ又はノートブックコンピュータでもよい。無線端末がアイドル状態にある場合、無線端末の呼が存在してもよく、ネットワーク側デバイスは、ページングメッセージを送信することにより、呼を無線端末に通知する。アイドル状態でページングメッセージを受信するために、無線端末は、ページングメッセージ又は他のメッセージを受信するために周期的に立ち上がる。ページングチャネルを通じて、無線端末のページングメッセージを受信することに加えて、無線端末は、同じページンググループの他の端末のページングメッセージ又はページングチャネルがアイドルであることを示すメッセージも受信してもよい。
【００４５】
次の実施例では、端末の立ち上がり周期が調整される前に、ネットワーク側デバイスにより配信されたメッセージは、端末が調整前の各立ち上がり周期に立ち上がったときに端末により受信され、端末の立ち上がり周期が調整された後に、ネットワーク側デバイスから配信されたメッセージは、端末がそれぞれの調整された立ち上がり周期に立ち上がったときに端末により受信される点に留意すべきである。
【００４６】
＜実施例１＞
図３は、本発明の実施例１による方法のフローチャートである。図３に示す端末の立ち上がり周期を調整する方法は、以下のステップを含む。
【００４７】
ステップ301：端末が存在する位置エリアにおいてネットワーク側デバイスがページングメッセージを再送信したか否かを判定する。
【００４８】
ステップ301の実行は、様々な条件で起動（トリガー）される点に留意すべきである。例えば、端末が新たな位置エリアに入った場合、端末が開始した場合、及び端末の立ち上がり周期を前に調整するために使用された方法が動作した後に起動されてもよく（詳細については次の実施例に参照が行われる）、ユーザ等により入力された命令を通じて起動されてもよい。
【００４９】
ステップ302：ページングメッセージが再送信された場合、ページングメッセージが再送信された時間間隔と、ページングメッセージが再送信された回数Rとを取得し、端末の立ち上がり周期をページングメッセージが再送信された時間間隔のN倍に調整する（ただし、Nは整数であり、2≦N≦Rである）。
【００５０】
ステップ302において、ページングメッセージが再送信された時間間隔は、ネットワーク側デバイスがページングメッセージを送信した時間と、ネットワーク側デバイスがページングメッセージを再び送信した時間との間の時間間隔を示す。例えば、端末が端末の第１の立ち上がり周期に立ち上がったときにネットワーク側デバイスがページングメッセージaを配信し、端末が端末の第２の立ち上がり周期に立ち上がったときにネットワーク側デバイスがページングメッセージaを再び配信した場合、ページングメッセージが再送信された時間間隔は、端末の１つの立ち上がり周期である。端末が端末の第iの立ち上がり周期に立ち上がったときにネットワーク側デバイスがページングメッセージaを再び配信した場合、ページングメッセージが再送信された時間間隔は、端末のi-1の立ち上がり周期である。“端末の立ち上がり周期”は調整されるため、区別を容易にするため、調整前の“端末の立ち上がり周期”はまた、“調整前の立ち上がり周期”とも呼ばれる。
【００５１】
ページングメッセージが再送信された時間間隔及びページングメッセージが再送信された回数Rは、ネットワーク側デバイスに問い合わせることにより取得されてもよく、（例えば、次の実施例２及び実施例３のように）端末により受信されたページングメッセージに従って測定されてもよい。
【００５２】
本発明の実施例における端末の立ち上がり周期は、端末のDRX周期である。調整前の立ち上がり周期は、端末が属するネットワーク側デバイスにより判定されてもよく、ネットワーク側デバイス及び端末により交渉を通じて判定されてもよく、ステップ302に従って前に調整された立ち上がり周期でもよい。例えば、中国のGSMシステムでは、DRX周期は通常ではネットワーク側により470ms又は940msに設定される。WCDMAシステムでは、DRX周期は通常ではネットワーク側により640msに設定される。CDMAシステム及びLTEシステムでは、DRX周期は無線端末のそのサービス状況に従ってネットワーク側デバイスとの交渉を通じてしばしば無線端末により判定される。調整前の立ち上がり周期を取得する特定の方法は、本発明の限定を構成しない。
【００５３】
この実施例では、端末がネットワーク側デバイスにより送信されたページングメッセージを繰り返し受信した場合（すなわち、端末が存在するネットワークが現在の位置エリアにおいて１つの同じページングメッセージを１回より多く配信した場合）、ページングメッセージが再送信された回数Rと、ページングメッセージが再送信された時間間隔とに従って、端末の立ち上がり周期は、ページングメッセージが再送信された時間間隔のN倍に調整される。ただし、Nは整数であり、2≦N≦Rである。Nの値は、ネットワーク側デバイスがページングメッセージを繰り返し送信した回数に従って判定され、Nの選択は、次の実施例で詳細に示される。
【００５４】
実施例１で提供される端末の立ち上がり周期を調整する方法では、端末が存在する位置エリアにおいてネットワーク側デバイスがページングメッセージを繰り返し送信したことが識別された場合、端末の立ち上がり周期は、ページングメッセージが再送信された時間間隔のN倍に調整され、ただし、Nは整数であり、2≦N≦Rである。これにより、端末が存在する位置エリアにおいてネットワーク側デバイスがページングメッセージを再送信する性能を有する場合、端末は、依然としてネットワーク側デバイスにより設定された立ち上がり周期に従って立ち上がる必要はなくなるため、端末の電気エネルギー消費を低減し、端末の待機時間を延ばす。
【００５５】
或いは、実施例１の他の実装方法では、ステップ301及び302に加えて、端末の立ち上がり周期を調整する方法は、端末が新たな位置エリアに入った場合、端末の立ち上がり周期を調整する進行中の処理を中断することを更に含む。このステップは、端末の立ち上がり周期が常に端末が現在存在する位置エリアの性能に一致することを確保する。端末が新たな位置エリアに入った場合、端末の立ち上がり周期を調整するか否か及びどのように調整するかは、新たな位置エリアの性能に依存する。
【００５６】
或いは、実施例１の更に他の実装方法では、ステップ301及び302に加えて、端末の立ち上がり周期を調整する方法は、端末が存在する位置エリアにおいてネットワーク側デバイスがページングメッセージを再送信しなかったと判定された場合、端末の立ち上がり周期を変更しないままにすることを更に含む。このステップは、端末の立ち上がり周期が現在の位置エリアにおいてネットワーク側デバイスがページングメッセージを再送信する場合にのみ調整されることを可能にする。このことは、端末の立ち上がり周期の不適切な調整のために、端末がページングメッセージを失う状況を回避する。
【００５７】
或いは、実施例１の更に他の実装方法では、ステップ301及び302に加えて、ページングメッセージが再送信された場合、端末の立ち上がり周期がページングメッセージが再送信された時間間隔のN倍に調整される前に、端末の立ち上がり周期を調整する方法はまた、中断イベントが予め設定された時間に生じたか否かを判定し、中断イベントが生じなかった場合、待機が終了した後に、端末の立ち上がり周期をページングメッセージが再送信された時間間隔のN倍に調整し、中断イベントが生じた場合、中断イベントが生じた時間から、予め設定された時間を再び待機し、端末の立ち上がり周期をページングメッセージが再送信された時間間隔のN倍に調整することを更に含む。ここでの中断イベントは、特に、端末にあり、端末の立ち上がり周期が格納されるレイヤ1層（すなわち、物理レイヤ）の構成を要求するイベント（例えば、端末のサービス接続の確立又は端末によるセル再選択）でもよい。このステップは、レイヤ１層（すなわち、物理レイヤ）の同時の構成により生じる衝突を回避し、これにより、端末の他の動作に影響を与えることなく、端末の立ち上がり周期を調整する方法の安定性を向上させる。
【００５８】
＜実施例２＞
図４は、本発明の実施例２に従って端末の立ち上がり周期を調整する方法のフローチャートである。この方法は、以下のステップを特に含む。
【００５９】
ステップ401：端末が調整前のM個の連続した立ち上がり周期に同じページングメッセージを連続して受信した最大回数Xが1より大きいか否かを判定する。ただし、Mは整数であり、M＞1である。Xが1より大きい場合、ページングメッセージが再送信されたと判定し、ステップ402に進む。X=1である場合、ページングメッセージが再送信されなかったと判定し、ステップ403に進む。
【００６０】
ステップ401は、ステップ301と同じ条件で起動される。これらは再びここで説明しない。この実施例では、端末が存在する位置エリアにおいてネットワーク側デバイスがページングメッセージを再送信したか否かを判定することは、特に、端末が調整前のM個の連続した立ち上がり周期に同じページングメッセージを連続して受信した最大回数Xが1より大きいか否かを判定し、Xが1より大きい場合、ページングメッセージが再送信されたと判定し、Xが1に等しい場合、ページングメッセージが送信されなかったと判定することである。
【００６１】
Mの値は、2以上の整数であり、Mの値が大きいほど、ネットワーク側によりページングメッセージを送信する実際の周期が検出される可能性が高くなる。しかし、Mの値が大きいほど、検出に必要な時間も長くなる。従って、Mは、一般的には適切な数（例えば、5より大きくない整数）に調整される。例えば、Mの値が6であり、端末の６つの連続する立ち上がり周期rに端末が立ち上がるときにそれぞれ受信したページングメッセージがa、a、b、b、b及びcである場合（a、b及びcはそれぞれ異なるページングメッセージを表す）、ネットワーク側デバイスがページングメッセージを繰り返す回数は2又は3であり、その最大回数（すなわち、Xの値）は3である。
【００６２】
この時点で、ページングメッセージが再送信される時間間隔は、調整前の立ち上がり周期と等しく、ページングメッセージが再送信された回数は、R=X=3であり、従って、端末の立ち上がり周期は、調整前の立ち上がり周期の２倍又は３倍に調整されてもよい。
【００６３】
同じページングメッセージは、特に完全に同じ種類及び内容を有するページングメッセージを示す。ページングメッセージの種類は、TMSI（Temporary  Mobile  Subscriber  Identity）、PTSMI（Packet  Switch  Domain  Temporary  Mobile  Subscriber  Identity）及びIMSI（International  Mobile  Subscriber  Identity）を含む。対応して、ページングメッセージの内容は、それぞれTMSI番号（4バイト）、PTMSI番号（4バイト）及びIMSI番号（8バイト）である。端末により受信されたページングメッセージは、他の端末に対するものでもよく、自分に対するものでもよい。端末が他の端末のページングメッセージを受信した場合、メッセージは、ステップ401における判定のために記録される。この端末のページングメッセージが受信された場合、端末は、ページングメッセージを直接処理し、従来技術のように対応する接続状態に入ってもよく、ページングメッセージを一時的に処理せず、その代わりにステップ401における判定のために受信したページングメッセージをまず記録し、後に受信したページングメッセージを処理してもよい（例えば、ネットワーク側デバイスにより送信されたメッセージが次の立ち上がり周期に受信されるまで待機する又は他の時点まで待機する）。
【００６４】
ステップ402：予め設定された時間を待機し、予め設定された時間に中断イベントが生じたか否かを判定し、そうである場合、ステップ404に進み、そうでない場合、ステップ405に進む。
【００６５】
ステップ403：調整前の立ち上がり周期を変更しないままにする。
【００６６】
同じページングメッセージが調整前のM個の連続した立ち上がり周期に連続して受信されない場合、すなわち、X=1である場合、調整前の立ち上がり周期は、この時点で変更されず、処理はステップ401に進む。或いは、X=1である場合、調整前の立ち上がり周期はまた、一時的に変更されず、ステップ401が実行された回数がカウントされる。ステップ401が実行された回数が予め設定された値より大きくない場合、ステップ401に戻り、ステップ401が実行された回数が予め設定された値（例えば、10回）より大きい場合、調整前の立ち上がり周期は、端末が新たな位置エリアに入ったという他の起動条件又は端末が再起動したという他の起動条件が満たされない限り、もはや調整されない。
【００６７】
ステップ404：予め設定された時間を待機し、ステップ405に進む。
【００６８】
ステップ405：端末の立ち上がり周期を調整前の立ち上がり周期のN倍に調整する。ただし、N≦Xである。
【００６９】
端末が存在するネットワークが現在の位置エリアでページングメッセージを再送信する場合（すなわち、X＞１）、端末の立ち上がり周期が調整前の立ち上がり周期のN倍に調整される前に、端末の立ち上がり周期を調整する方法はまた、ステップ402（予め設定された時間を待機し、予め設定された時間に中断イベントが生じたか否かを判定する）を含む。そうでない場合、待機が終了した後にステップ405（端末の立ち上がり周期を調整前の立ち上がり周期のN倍に調整する）に進む。中断イベントが予め設定された時間に生じた場合、中断イベントが生じた時間から、予め設定された時間を再び待機し、端末の立ち上がり周期を調整前の立ち上がり周期のN倍に調整することを更に含む。ただし、Nの値は、2≦N≦Xという条件を満たす。ここでの中断イベントは、特に、端末にあり、端末の立ち上がり周期が格納されるレイヤ１層（すなわち、物理レイヤ）の構成を要求するイベント（例えば、端末のサービス接続の確立又は端末によるセル再選択）でもよい。レイヤ１層（すなわち、物理レイヤ）の同時の構成により生じる衝突を回避するために、端末の立ち上がり周期を調整する動作は、予め設定された時間だけ遅延する必要があり、端末の立ち上がり周期を調整する動作は、中断イベントが終了した後に実行される。端末の立ち上がり周期を調整する動作は、5秒又は他の適切な期間に設定されてもよい。
【００７０】
ステップ402及び404は任意選択であり、省略されてもよい。言い換えると、ステップ401においてページングメッセージが再送信されたと判定された場合、ステップ405は、直接実行されてもよい。ステップ401〜405を実行する処理において、端末が新たな位置エリアに入った場合、端末の立ち上がり周期を調整する進行中の方法は中断される。ここでの中断の後に、端末は、現在の位置エリアにおいてもはや端末の立ち上がり周期を調整しなくてもよく、端末の立ち上がり周期を調整することを再開してもよい（すなわち、ステップ401から実行を再開する）。
【００７１】
実施例２で提供される端末の立ち上がり周期を調整する方法によれば、端末が調整前のM個の連続した立ち上がり周期に同じページングメッセージを連続して受信した最大回数Xが1より大きいか否かが判定され、そうである場合、端末の立ち上がり周期は調整前の立ち上がり周期の整数倍に調整される。ただし、整数はX以下である。これにより、ネットワーク側デバイスが現在の位置エリアにおいてページングメッセージを再送信する性能を有する場合、端末は、依然としてネットワーク側デバイスにより設定された立ち上がり周期に従って立ち上がる必要はなくなるため、端末の電気エネルギー消費を低減し、端末の待機時間を延ばす。一方、端末の立ち上がり周期が調整される前の予め設定された時間の待機のため、端末の立ち上がり周期を調整することにより生じ得る衝突が回避され、調整する方法の安定性が改善され、端末の他の動作が影響を受けなくなる。
【００７２】
＜実施例３＞
図５ａは、本発明の実施例３に従って端末の立ち上がり周期を調整する方法のフローチャートである。この方法は、以下のステップを特に含む。
【００７３】
ステップ501：端末が調整前の２つの連続した立ち上がり周期に同じページングメッセージを受信したか否かを判定し、そうである場合、ページングメッセージが再送信されたと判定し、ステップ502に進む。
【００７４】
ステップ501は、ステップ301及びステップ401と同じ条件で起動される。これらは再びここで説明しない。この実装方法では、ネットワーク側デバイスがページングメッセージを何回再送信したかは検出されず、ネットワーク側デバイスがページングメッセージ２回連続して配信したか否か（すなわち、１つの同じページングメッセージを調整前の２つの連続した立ち上がり周期に配信したか否か）のみが判定される。これは、ページングメッセージが再送信された回数Rが２以上であるか否かと、ページングメッセージが再送信された時間間隔が調整前の１つの立ち上がり周期であるか否かとを判定することに等しい。
【００７５】
図５ｂは、ステップ501の第１の実装方法の概略フローチャートである。ステップ501の第１の実装方法は、端末が調整前の２つの連続した立ち上がり周期に立ち上がったときに他の端末のページングメッセージを受信した場合、この２回の立ち上がりの間に受信したページングメッセージが同じであるか否かを判定するための比較を実行し、そうである場合、ページングメッセージが再送信されたと判定し、ステップ502に進み、そうでない場合、ページングメッセージが再送信されなかったと判定することを特に含む。
【００７６】
図５ｃは、ステップ501の第２の実装方法の概略フローチャートである。ステップ502の第２の実装方法は、端末が調整前の２つの連続した立ち上がり周期に立ち上がったときに他の端末のページングメッセージを受信した場合、この２回の立ち上がりの間に受信したページングメッセージが同じであるか否かを判定するための比較を実行し、そうである場合、ページングメッセージが再送信されたと判定し、ステップ502に進み、そうでない場合、異なるという判定の回数を１だけ増加し、異なるという判定の回数が第１の予め設定された回数より大きい場合、ページングメッセージが再送信されなかったと判定し、異なるという判定の回数が第１の予め設定された回数より大きくない場合、ページングメッセージが再送信されたと判定されるまで（次にステップ502に進む）又はページングメッセージが再送信されなかったと判定されるまで、端末が前の比較の間に調整前の２つの連続した立ち上がり周期のうち後者で立ち上がったときに受信したページングメッセージと、端末が調整前の次の立ち上がり周期で立ち上がったときに受信したページングメッセージとが同じであるか否かを判定し続けることを特に含む。
【００７７】
ステップ501の２つの実装方法では、ページングメッセージが再送信されなかったと判定された場合、端末の立ち上がり周期は調整されず、調整前の立ち上がり周期が変更されないままになる。
【００７８】
ステップ501の第２の実装方法では、不正確な判定を回避するため、ページングメッセージが異なると判定された回数がカウントされる。ネットワークにより配信されたページングメッセージが連続してa、a、b、b、c及びcであり、判定のために選択された調整前の２つの連続した立ち上がり周期が第２のページングメッセージaが受信されたときの調整前の立ち上がり周期及び第１のメッセージbが受信されたときの調整前の立ち上がり周期である場合、また、比較が１回のみ実行される場合、ネットワークがページングメッセージを再送信しなかったと不正確に判定される可能性がある。或いは、ページングメッセージが異なるという結論が、第２のメッセージaが受信されたときの調整前の立ち上がり周期と、第１のメッセージbが受信されたときの調整前の立ち上がり周期との比較を通じて得られた後に、判定結果が得られるまで、すなわち、ページングメッセージが再送信されたと最終的に判定されるまで、又はページングメッセージが再送信されなかったと最終的に判定されるまで、第１のメッセージbが受信されたときの調整前の立ち上がり周期及び第２のメッセージbが受信されたときの調整前の立ち上がり周期が次に比較される。
【００７９】
或いは、ステップ501の２つの実装方法で、端末が調整前のいずれかの立ち上がり周期で立ち上がったときにページングチャネルがアイドルであることを示すメッセージを受信した場合、ページングチャネルがアイドルであることを示すメッセージは破棄される。
【００８０】
或いは、ページングチャネルがアイドルであることを示すメッセージが破棄された後に、ページングチャネルがアイドルであることを示すメッセージを受信した回数を記録し、記録された回数が第２の予め設定された閾値より大きい場合（例えば、10回に設定される）、ページングメッセージが再送信されなかったと判定し、記録された回数が第２の予め設定された回数より大きくない場合、端末が次の２つのDRX周期に立ち上がったときに同じページングメッセージを受信したか否かを判定し続けることが更に含まれる。
【００８１】
以下は、状況による特定の説明を行う。ステップ501が調整前の第Y（Yはいずれかの正の整数）の立ち上がり周期に実行され始めることを仮定する。
【００８２】
端末がY回目に立ち上がったときに他の端末のページングメッセージを受信し、端末がY+1回目に立ち上がったときに他の端末のページングメッセージを受信した場合、２つのページングメッセージが同じであるか否かが判定される。２つのページングメッセージが同じである場合、ページングメッセージが再送信されたと判定され、処理はステップ502に進む。２つのページングメッセージが異なる場合、ページングメッセージが再送信されなかったと判定される、或いは、第１のカウンタが１だけ増加する。第１のカウンタが第１の予め設定された回数に到達していない場合、端末が調整前の第Y+2の立ち上がり周期に立ち上がったときにネットワークにより配信されたメッセージが受信され続け、端末が第Y+1回目及び第Y+2回目に立ち上がったときに同じメッセージが受信されたか否かが判定される。特定の判定方法は、端末がY回目及びY+1回目に立ち上がったときに実行される判定と同じであり、ここでは再び繰り返されない。第１のカウンタが第１の予め設定された回数に到達した場合、ページングメッセージが再送信されなかったと判定される。
【００８３】
端末がY回目に立ち上がったときに他の端末のページングメッセージを受信し、端末がY+1回目に立ち上がったときにページングチャネルがアイドルであることを示すメッセージを受信した場合、端末は、ページングメッセージがアイドルであることを示すメッセージを破棄し、第２のカウンタが１だけ増加する。第２のカウンタが第２の予め設定された回数に到達していない場合、第Y+2の周期及び第Y+3の周期の立ち上がりの間にネットワークにより配信されたメッセージが受信され続け、第Y+2回目及び第Y+3回目の立ち上がりの間に同じページングメッセージが受信されたか否かが判定される。特定の判定方法は、端末がY回目及びY+1回目に立ち上がったときに実行される判定と同じであり、ここでは再び繰り返されない。第２のカウンタが第２の予め設定された回数に到達した場合、ページングメッセージが再送信されなかったと判定される。
【００８４】
端末がY回目に立ち上がったときにページングチャネルがアイドルであることを示すメッセージを受信した場合、端末は、ページングメッセージがアイドルであることを示すメッセージを破棄し、第２のカウンタが１だけ増加する。第２のカウンタが第２の予め設定された回数に到達していない場合、第Y+1の周期及び第Y+2の周期の立ち上がりの間にネットワークにより配信されたメッセージが受信され続け、第Y+1回目及び第Y+2回目の立ち上がりの間に同じページングメッセージが受信されたか否かが判定される。特定の判定方法は、端末がY回目及びY+1回目に立ち上がったときに実行される判定と同じであり、ここでは再び繰り返されない。第２のカウンタが第２の予め設定された回数に到達した場合、ページングメッセージが再送信されなかったと判定される。
【００８５】
この実施例では、同じページングメッセージは、特に完全に同じ種類及び内容を有するページングメッセージを示す。ページングメッセージの種類は、TMSI、PTSMI及びIMSIを含む。対応して、ページングメッセージの内容は、それぞれTMSI番号（4バイト）、PTMSI番号（4バイト）及びIMSI番号（8バイト）である。端末により受信されたページングメッセージは、他の端末に対するものでもよく、自分に対するものでもよい。端末が他の端末のページングメッセージを受信した場合、これらのメッセージは、ステップ501における判定のために記録される。この端末のページングメッセージが受信された場合、端末は、ページングメッセージを直接処理し、従来技術のように対応する接続状態に入ってもよく、ページングメッセージを一時的に処理せず、その代わりにステップ501における判定のために受信したページングメッセージをまず記録し、後に受信したページングメッセージを処理してもよい（例えば、ネットワーク側デバイスにより送信されたメッセージが次の立ち上がり周期に受信されるまで待機する又は他の時点まで待機する）。
【００８６】
ステップ502：予め設定された時間を待機し、中断イベントが予め設定された時間に生じたか否かを判定し、そうである場合、ステップ504に進み、そうでない場合、ステップ505に進む。
【００８７】
ステップ504：予め設定された時間を待機し、ステップ505に進む。
【００８８】
ステップ505：端末の立ち上がり周期を調整前の立ち上がり周期の２倍に調整する。
【００８９】
ステップ505では、端末の立ち上がり周期は、端末が自分のページングメッセージを失わないように、調整前の立ち上がり周期の２倍に調整される。一方、端末がページングメッセージに応答する速度は、大きく影響を受けず、ユーザ経験は影響を受けない。
【００９０】
ステップ502及び504の説明は、ステップ402及び404の説明と同じであり、ここでは再び繰り返されない点に留意すべきである。ステップ502及び504は任意選択であり、省略されてもよい。すなわち、ステップ501においてページングメッセージが再送信されたと判定された後に、処理はステップ505に進む。ステップ501〜505を実行する間に、端末が新たな位置エリアに入った場合、端末の立ち上がり周期を調整する進行中の方法は中断される。ここでの中断の後に、端末は、新たな位置エリアにおいてもはや端末の立ち上がり周期を調整しなくてもよく、端末の立ち上がり周期を調整することを再開してもよい（すなわち、ステップ501から実行を再開する）。
【００９１】
実施例３で提供される端末の立ち上がり周期を調整する方法によれば、端末が存在する位置エリアにおいてネットワーク側デバイスが２つの連続した周期に同じページングメッセージを配信したか否かが判定され、そうである場合、端末の立ち上がり周期は、調整前の立ち上がり周期の２倍に調整される。これにより、端末が存在する位置エリアがページングメッセージを再送信する性能を有する場合、端末は、依然としてネットワーク側デバイスにより設定された立ち上がり周期に従って立ち上がる必要はなくなるため、端末の電気エネルギー消費を低減し、端末の待機時間を延ばす。一方、端末がページングメッセージに応答する速度は、大きく影響を受けず、ユーザ経験は影響を受けない。他の態様では、端末の立ち上がり周期が調整される前の予め設定された時間の待機のため、端末の立ち上がり周期を調整することにより生じ得る衝突が回避される。更に他の態様では、ページングチャネルがアイドルであるときにページングメッセージが再送信されるか否かを正確に判定する際の失敗も回避される。
【００９２】
或いは、実施例１〜実施例３での端末の立ち上がり周期を調整する様々な方法に基づいて、端末の立ち上がり周期がページングメッセージが再送信された時間間隔のN倍に調整される前に、端末の立ち上がり周期を調整する方法は、ネットワーク側デバイスに対して端末の立ち上がり周期をページングメッセージが再送信された時間間隔のN倍に調整することを許可するように要求するために使用される要求メッセージを、ネットワーク側デバイスに送信し、ネットワーク側デバイスにより送信されて調整が許可されたことを示す応答が受信された場合、端末の立ち上がり周期をページングメッセージが再送信された時間間隔のN倍に調整し、そうでない場合、端末の立ち上がり周期の進行中の調整を中断し、調整前の立ち上がり周期を変更しないままにすることを更に含む。ネットワーク側デバイスからの許可を要求する対策において、ネットワーク側デバイスは、端末の立ち上がり周期が調整されていることを学習してもよく、調整が実行されるべきか否かを制御してもよい。
【００９３】
実施例１〜実施例３での端末の立ち上がり周期を調整する方法は、“予め設定された時間を待機し、中断イベントが予め設定された時間に生じたか否かを判定する”処理（ステップ402及び404又はステップ502及び504）を更に含んでもよい点に留意すべきである。ネットワーク側デバイスからの許可を要求する処理は、“予め設定された時間を待機し、中断イベントが予め設定された時間に生じたか否かを判定する”処理の前、且つ、ページングメッセージが再送信されたと判定された後でもよい。ネットワーク側デバイスにより送信されて調整が許可されたことを示す応答が受信された場合、“予め設定された時間を待機し、中断イベントが予め設定された時間に生じたか否かを判定する”処理が実行され、そうでない場合、端末の立ち上がり周期の進行中の調整は中断され、調整前の立ち上がり周期が変更しないままにされる。或いは、ネットワーク側デバイスから許可を要求する処理は、ページングメッセージが再送信されたと判定された後、且つ、“予め設定された時間を待機し、中断イベントが予め設定された時間に生じたか否かを判定する”処理の後に実行されてもよい。
【００９４】
＜実施例４＞
本発明の実施例は、コンピュータプログラムを提供する。コンピュータプログラムは、コンピュータプログラムがコンピュータで実行された場合、実施例１〜実施例３での端末の立ち上がり周期を調整する方法を実行するために使用されるプログラムコードを含む。この方法は、ここでは再び繰り返されない。
【００９５】
＜実施例５＞
本発明の実施例５は、１つ以上のコンピュータプログラムを格納するように構成されたコンピュータ可読記憶媒体を提供する。１つ以上のコンピュータプログラムは、コンピュータプログラムがコンピュータで実行された場合、実施例１〜実施例３での端末の立ち上がり周期を調整する方法を実行するために使用されるプログラムコードを含む。この方法は、ここでは再び繰り返されない。記憶媒体は、ROM/RAM、磁気ディスク又は光ディスクでもよい。
【００９６】
＜実施例６＞
本発明の実施例は、端末の立ち上がり周期を調整する方法を実行するように構成された装置を更に提供する。
【００９７】
図６ａは、本発明の実施例６による装置の第１の実装方法の概略構成図である。この装置は、端末が存在する位置エリアにおいてネットワーク側デバイスがページングメッセージを再送信したか否かを判定するように構成された判定ユニット601と、ページングメッセージが再送信されたと判定ユニットが判定した場合、ページングメッセージが再送信された時間間隔と、ページングメッセージが再送信された回数Rとを取得し、端末の立ち上がり周期をページングメッセージが再送信された時間間隔のN倍に調整するように構成された調整ユニット602とを含み、ただし、Nは整数であり、2≦N≦Rである。
【００９８】
図６ｂに示すように、判定ユニット601が活性化され、ページングメッセージが再送信されたか否かを判定し始めるように起動する別の活性化ユニット600が存在してもよい。装置が新たな位置エリアに入ったこと又は装置が開始したことを活性化ユニット600が判定した場合、判定ユニット601が活性化されるように起動する。又は、活性化ユニット600は、ユーザにより入力された命令に従って、判定ユニット601が活性化されるように起動する。判定ユニット601の特定の動作処理において、判定ユニット601はまた、進行中の動作が終了した後に動作し続けるように起動されてもよく、特定の状態は以下の実装方法で示される。
【００９９】
装置の第１の実装方法では、端末が存在する位置エリアがページングメッセージを再送信する性能を有する場合、端末は、依然としてネットワーク側デバイスにより設定された立ち上がり周期に従って立ち上がる必要はなくなるため、端末の電気エネルギー消費を低減し、待機時間を延ばす。
【０１００】
図６ｂに示すように、装置の第２の実装方法では、装置の第１の実装方法に基づいて、判定ユニット601は、端末が調整前の２つの連続した立ち上がり周期に同じページングメッセージを受信したか否かを判定し、そうである場合、ページングメッセージが再送信されたと判定するように構成された第１のサブユニット6011を含む。調整ユニット602は、ページングメッセージが再送信された取得された時間間隔として、調整前の立ち上がり周期を使用し、ページングメッセージが再送信された回数Rとして2を使用し、端末の立ち上がり周期を調整前の立ち上がり周期の２倍に調整するように特に構成される。
【０１０１】
装置の第２の実装方法では、装置の第１の実装方法の技術的効果が実装され得ることを除いて、端末の立ち上がり周期が調整前の立ち上がり周期の２倍に調整されるため、端末は、端末のページングメッセージを失わない。一方、端末がページングメッセージに応答する速度は、大きく影響を受けず、ユーザ経験は影響を受けない。
【０１０２】
装置の第３の実装方法では、装置の第２の実装方法に基づいて、第１のサブユニット6011は、端末が調整前の２つの連続した立ち上がり周期に立ち上がったときに他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、ページングメッセージが再送信されなかったと判定するように更に構成される。
【０１０３】
装置の第３の実装方法では、装置の第２の実装方法の技術的効果が実装され得ることを除いて、メッセージが再送信されたか否かを判定するための簡単且つ便利な対策も提供される。
【０１０４】
装置の第４の実装方法では、装置の第２の実装方法に基づいて、第１のサブユニットは、端末が調整前の２つの連続した立ち上がり周期に立ち上がったときに他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、異なるという判定の回数を１だけ増加し、異なるという判定の回数が第１の予め設定された回数を超えた場合、ページングメッセージが再送信されなかったと判定し、異なるという判定の回数が第１の予め設定された回数より大きくない場合、ページングメッセージが再送信されたと判定されるまで、又は、ページングメッセージが再送信されなかったと判定されるまで、端末が前の比較の間に調整前の２つの連続した立ち上がり周期のうち後者で立ち上がったときに受信したページングメッセージと、端末が調整前の次の立ち上がり周期で立ち上がったときに受信したページングメッセージとが同じであるか否かを判定し続けるように更に構成される。
【０１０５】
装置の第４の実装方法では、装置の第２の実装方法の技術的効果が実装され得ることを除いて、より正確にメッセージが再送信されたか否かを判定するための対策も提供される。これは、判定の開始点の不正確な選択により生じる誤りを低減する。
【０１０６】
装置の第５の実装方法では、装置の第３の実装方法又は第４の実装方法に基づいて、第１のサブユニット6011は、端末が調整前のいずれかの立ち上がり周期で立ち上がったときにページングチャネルがアイドルであることを示すメッセージを受信した場合、ページングチャネルがアイドルであることを示すメッセージを破棄するように更に構成される。
【０１０７】
装置の第５の実装方法では、装置の第３の実装方法及び第４の実装方法の技術的効果が実装され得ることを除いて、ページングチャネルがアイドルであるときの処理対策も提供される。これは、“ネットワークがページングメッセージをサポートしない”と不正確に判定する状況を回避する。
【０１０８】
装置の第６の実装方法では、第５の実装方法に基づいて、第１のサブユニット6011は、ページングチャネルがアイドルであることを示すメッセージが破棄された後に、ページングチャネルがアイドルであることを示すメッセージを受信した回数を１だけ増加し、ページングチャネルがアイドルであることを示すメッセージを受信した回数が第２の予め設定された閾値より大きい場合、ページングメッセージが再送信されなかったと判定し、ページングチャネルがアイドルであることを示すメッセージを受信した回数が第２の予め設定された回数より大きくない場合、ページングチャネルがアイドルであることを示すメッセージが受信された後に、端末が調整前の２つの連続した立ち上がり周期に同じページングメッセージを受信したか否かを判定し続けるように更に構成される。
【０１０９】
装置の第６の実装方法では、装置の第５の実装方法の技術的効果が実装され得ることを除いて、ページングチャネルが長期間にアイドルである場合、ページングメッセージが再送信されたか否かを判定する方法を処理する対策も提供される。これにより、ページングチャネルが長期間にアイドルである場合、ページングメッセージが再送信されたか否かについての結論を得る際の失敗によって生じる判定の時間及びリソースの消費が回避される。
【０１１０】
図６ｃに示すように、装置の第７の実装方法では、第１〜第６の実装方法に基づいて、判定ユニット601は、端末が端末の調整前のM個の連続した立ち上がり周期に同じページングメッセージを連続して受信した最大回数Xが1より大きいか否かを判定し、Xが1より大きい場合、ページングメッセージが再送信されたと判定するように構成された第２のサブユニット6012を更に含み、ただし、Mは１より大きい整数である。調整ユニットは、ページングメッセージが再送信された時間間隔として、調整前の立ち上がり周期を使用し、ページングメッセージが再送信された回数RとしてXを使用し、端末の立ち上がり周期を調整前の立ち上がり周期のN倍に調整するように特に構成され、ただし、N≦Xである。
【０１１１】
装置の第７の実装方法では、装置の第１〜第６の実装方法の技術的効果が実装され得ることを除いて、ページングメッセージが再送信されたか否かを判定するための他の対策も提供される。この対策は、比較的高い判定精度を有し、実装が容易である。
【０１１２】
装置の第８の実装方法では、第７の実装方法に基づいて、第２のサブユニット6012は、Xが１に等しい場合、ページングメッセージが再送信されなかったと判定するように更に構成される。
【０１１３】
装置の第８の実装方法では、装置の第７の実装方法の技術的効果が実装され得ることを除いて、Xが１に等しい状況への処理対策も提供される。これにより、ページングメッセージの再送信を判定するための対策を更に完全にする。
【０１１４】
装置の第９の実装方法では、第１〜第８の実装方法に基づいて、調整ユニット602は、端末の立ち上がり周期をページングメッセージが再送信された時間間隔のN倍に調整する前に、予め設定された時間を待機し、中断イベントが予め設定された時間に生じなかった場合に、待機が終わった後に、端末の立ち上がり周期をページングメッセージが再送信された時間間隔のN倍に調整し、中断イベントが予め設定された時間に生じた場合、中断イベントが生じた時間から、予め設定された時間を再び待機し、端末の立ち上がり周期をページングメッセージが再送信された時間間隔のN倍に調整するように更に構成される。
【０１１５】
装置の第９の実装方法では、装置の第１〜第８の実装方法の技術的効果が実装され得ることを除いて、端末の立ち上がり周期が調整される前の予め設定された時間の待機のため、端末の立ち上がり周期を調整することにより生じ得る衝突が回避される。
【０１１６】
装置の第１０の実装方法では、第１〜第９の実装方法に基づいて、調整ユニット602は、端末が新たな位置エリアに入った場合、端末の立ち上がり周期の進行中の調整を中断するように更に構成される。
【０１１７】
装置の第１０の実装方法では、装置の第１〜第９の実装方法の技術的効果が実装され得ることを除いて、端末の立ち上がり周期の調整は、端末が現在存在する位置エリアの性能に常に一致するように可能になる。これは、周期及び性能が一致しない場合に、端末がページングメッセージを失う状況を回避する。
【０１１８】
本発明の実施例１〜実施例３での端末のページング周期を調整する方法の様々な説明は、装置の第１〜第１０の実装方法にも適用可能であり、これらはここで再び繰り返されない。
【０１１９】
或いは、装置の第１〜第１０の実装方法に基づいて、装置は、送信ユニットと受信ユニットとを更に含んでもよい。送信ユニットは、ネットワーク側デバイスに対して端末の立ち上がり周期をページングメッセージが再送信された時間間隔のN倍に調整することを許可するように要求するために使用される要求メッセージを、ネットワーク側デバイスに送信するように構成される。受信ユニットは、ネットワーク側デバイスにより送信されて調整が許可されたことを示す応答を受信するように構成される。調整ユニット602は、ネットワーク側デバイスにより送信されて調整が許可されたことを示す応答を受信ユニットが受信した場合、端末の立ち上がり周期をページングメッセージが再送信された時間間隔のN倍に調整し、そうでない場合、端末の立ち上がり周期の進行中の調整を中断し、調整前の立ち上がり周期を変更しないままにするように更に構成される。ネットワーク側デバイスからの許可を要求する処理において、ネットワーク側デバイスは、端末の立ち上がり周期が調整されていることを学習してもよく、調整が実行されるべきか否かを制御してもよい。
【０１２０】
ネットワーク側デバイスからの許可を要求する対策が装置の第９及び第１０の実装方法と組み合わされた場合、送信ユニット及び受信ユニットがネットワーク側デバイスからの許可を要求する処理をまず完了し、ネットワーク側デバイスにより送信されて調整が許可されたことを示す応答を受信ユニットが受信したことを調整ユニットが判定した後に、予め設定された時間を待機する処理が実行されてもよい点に留意すべきである。或いは、調整ユニットが予め設定された時間を待機する処理をまず実行し、送信ユニット及び受信ユニットがネットワーク側デバイスからの許可を要求する処理をまず完了し、ネットワーク側デバイスにより送信されて調整が許可されたことを示す応答を受信ユニットが受信したことを調整ユニットが判定した後に、端末の立ち上がり周期が調整される。
【０１２１】
＜実施例７＞
本発明の実施例は、端末を更に提供する。
【０１２２】
端末の第１の実装方法では、端末は、端末が存在する位置エリアにおいてネットワーク側デバイスがページングメッセージを再送信したか否かを判定し、ページングメッセージが再送信された場合、ページングメッセージが再送信された時間間隔と、ページングメッセージが再送信された回数Rとを取得し、端末の立ち上がり周期をページングメッセージが再送信された時間間隔のN倍に調整するように構成される少なくとも１つのプロセッサ701を含む。ただし、Nは整数であり、2≦N≦Rである。
【０１２３】
端末の第１の実装方法では、端末が存在する位置エリアにおいてネットワーク側デバイスがページングメッセージを繰り返し送信することが識別された場合、端末の立ち上がり周期は、ページングメッセージが再送信された時間間隔のN倍に調整される。ただし、Nは整数であり、2≦N≦Rである。これにより、端末が存在する位置エリアがページングメッセージを再送信する性能を有する場合、端末は、依然としてネットワーク側デバイスにより設定された立ち上がり周期に従って立ち上がる必要はなくなるため、端末の電気エネルギー消費を低減し、待機時間を延ばす。
【０１２４】
端末の第２の実装方法では、端末の第１の実装方法に基づいて、図７に示すように、端末は、端末が調整前の各立ち上がり周期に立ち上がったときに、ネットワーク側デバイスにより配信されたメッセージを受信するように構成された受信機702を更に含む。
【０１２５】
端末の第３の実装方法では、端末の第２の実装方法に基づいて、少なくとも１つのプロセッサ701は、端末が調整前の２つの連続した立ち上がり周期に同じページングメッセージを受信したか否かを判定し、そうである場合、ページングメッセージが再送信されたと判定し、ページングメッセージが再送信された取得された時間間隔として、調整前の立ち上がり周期を使用し、ページングメッセージが再送信された回数Rとして2を使用し、端末の立ち上がり周期を調整前の立ち上がり周期の２倍に調整することように特に構成される。
【０１２６】
端末の第３の実装方法では、端末の第１の実装方法の技術的効果が実装され得ることを除いて、端末の立ち上がり周期が調整前の立ち上がり周期の２倍に調整されるため、端末は自分のページングメッセージを失わない。一方、端末がページングメッセージに応答する速度は、大きく影響を受けず、ユーザ経験は影響を受けない。
【０１２７】
端末の第４の実装方法では、端末の第３の実装方法に基づいて、少なくとも１つのプロセッサ701は、端末が調整前の２つの連続した立ち上がり周期に立ち上がったときに受信機が他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、ページングメッセージが再送信されなかったと判定するように更に構成される。
【０１２８】
端末の第４の実装方法では、端末の第３の実装方法の技術的効果が実装され得ることを除いて、メッセージが再送信されたか否かを判定するための簡単且つ便利な対策も提供される。
【０１２９】
端末の第５の実装方法では、端末の第３の実装方法に基づいて、少なくとも１つのプロセッサ701は、端末が調整前の２つの連続した立ち上がり周期に立ち上がったときに受信機が他の端末のページングメッセージを受信した場合、この２回の立ち上がりの間に受信したページングメッセージが同じであるか否かを判定するための比較を実行し、そうである場合、ページングメッセージが再送信されたと判定し、そうでない場合、異なるという判定の回数を１だけ増加し、異なるという判定の回数が第１の予め設定された回数より大きい場合、ページングメッセージが再送信されなかったと判定し、異なるという判定の回数が第１の予め設定された回数より大きくない場合、ページングメッセージが再送信されたと判定されるまで、又は、ページングメッセージが再送信されなかったと判定されるまで、端末が前の比較の間に調整前の２つの連続した立ち上がり周期のうち後者で立ち上がったときに受信したページングメッセージと、端末が調整前の次の立ち上がり周期で立ち上がったときに受信したページングメッセージとが同じであるか否かを判定し続けるように更に構成される。
【０１３０】
端末の第５の実装方法では、端末の第３の実装方法の技術的効果が実装され得ることを除いて、より正確にメッセージが再送信されたか否かを判定するための対策も提供される。これは、判定の開始点の不正確な選択により生じる誤りを低減する。
【０１３１】
端末の第６の実装方法では、端末の第４及び第５の実装方法に基づいて、少なくとも１つのプロセッサ701は、端末が調整前のいずれかの立ち上がり周期で立ち上がったときにページングチャネルがアイドルであることを示すメッセージを受信機が受信した場合、ページングチャネルがアイドルであることを示すメッセージを破棄するように更に構成される。
【０１３２】
端末の第６の実装方法では、端末の第４及び第５の実装方法の技術的効果が実装され得ることを除いて、ページングチャネルがアイドルであるときの処理対策も提供される。これは、“ネットワークがページングメッセージをサポートしない”と不正確に判定する状況を回避する。
【０１３３】
端末の第７の実装方法では、端末の第６の実装方法に基づいて、少なくとも１つのプロセッサ701は、ページングチャネルがアイドルであることを示すメッセージが破棄された後に、ページングチャネルがアイドルであることを示すメッセージを受信した回数を１だけ増加し、ページングチャネルがアイドルであることを示すメッセージを受信した回数が第２の予め設定された閾値より大きい場合、ページングメッセージが再送信されなかったと判定し、ページングチャネルがアイドルであることを示すメッセージを受信した回数が第２の予め設定された回数より大きくない場合、ページングチャネルがアイドルであることを示すメッセージが受信された後に、端末が調整前の２つの連続した立ち上がり周期に同じページングメッセージを受信したか否かを判定し続けるように更に構成される。
【０１３４】
端末の第７の実装方法では、端末の第６の実装方法の技術的効果が実装され得ることを除いて、ページングチャネルが長期間にアイドルである場合、ページングメッセージが再送信されたか否かを判定する方法を処理する対策も提供される。これにより、ページングチャネルが長期間にアイドルである場合、ページングメッセージが再送信されたか否かについての結論を得る際の失敗によって生じる判定の時間及びリソースの消費が回避される。
【０１３５】
端末の第８の実装方法では、端末の第１〜第７の実装方法に基づいて、少なくとも１つのプロセッサ701は、受信機が調整前のM個の連続した立ち上がり周期に同じページングメッセージを連続して受信した最大回数Xが1より大きいか否かを判定し、Xが1より大きい場合、ページングメッセージが再送信されたと判定し、ただし、Mは１より大きい整数であり、ページングメッセージが再送信された時間間隔として、調整前の立ち上がり周期を使用し、ページングメッセージが再送信された回数RとしてXを使用し、端末の立ち上がり周期を調整前の立ち上がり周期のN倍に調整するように更に構成され、ただし、N≦Xである。
【０１３６】
装置の第８の実装方法では、端末の第１〜第７の実装方法の技術的効果が実装され得ることを除いて、ページングメッセージが再送信されたか否かを判定するための他の対策も提供される。この対策は、比較的高い判定精度を有し、実装が容易である。
【０１３７】
端末の第９の実装方法では、端末の第８の実装方法に基づいて、少なくとも１つのプロセッサ701は、Xが１に等しい場合、ページングメッセージが再送信されなかったと判定するように更に構成される。
【０１３８】
端末の第９の実装方法では、端末の第８の実装方法の技術的効果が実装され得ることを除いて、Xが１に等しい状況への処理対策も提供される。これにより、ページングメッセージの再送信を判定するための対策を更に完全にする。
【０１３９】
端末の第１０の実装方法では、端末の第１〜第９の実装方法に基づいて、少なくとも１つのプロセッサ701は、端末の立ち上がり周期をページングメッセージが再送信された時間間隔のN倍に調整する前に、予め設定された時間を待機し、中断イベントが予め設定された時間に生じなかった場合に、待機が終わった後に、端末の立ち上がり周期をページングメッセージが再送信された時間間隔のN倍に調整し、中断イベントが予め設定された時間に生じた場合、中断イベントが生じた時間から、予め設定された時間を再び待機し、端末の立ち上がり周期をページングメッセージが再送信された時間間隔のN倍に調整するように更に構成される。
【０１４０】
端末の第１０の実装方法では、端末の第１〜第９の実装方法の技術的効果が実装され得ることを除いて、端末の立ち上がり周期が調整される前の予め設定された時間の待機のため、端末の立ち上がり周期を調整することにより生じ得る衝突が回避される。
【０１４１】
端末の第１１の実装方法では、端末の第１〜第１０の実装方法に基づいて、少なくとも１つのプロセッサ701は、端末が新たな位置エリアに入った場合、端末の立ち上がり周期の進行中の調整を中断するように更に構成される。
【０１４２】
端末の第１１の実装方法では、端末の第１〜第１０の実装方法の技術的効果が実装され得ることを除いて、端末のページング周期の調整は、端末が現在存在する位置エリアの性能に常に一致するように可能になる。これは、周期及び性能が一致しない場合に、端末がページングメッセージを失う状況を回避する。
【０１４３】
第１〜第１１の実装方法の端末は、特に移動電話でもよい。図８は、本発明の実施例に関する移動電話の概略構成図である。移動電話は、プロセッサ880と、RF（radio  frequency）回路810、メモリ820、入力ユニット830、ディスプレイユニット840、センサ850、オーディオ回路860、WiFi（wireless  fidelity）モジュール870及び電源190のような構成要素とを含む。当業者は、図８に示す移動電話の構成が移動電話への限定を構成するものではなく、図面に示すものより多い又は少ない構成要素が含まれてもよく、或いは、特定の構成要素が組み合わされてもよく、構成要素が異なって構成されてもよいことを認識する。プロセッサ701はプロセッサ880により実装され、受信機702はRF回路810により実装される。
【０１４４】
本発明の実施例１〜実施例３での端末のページング周期を調整する方法の様々な説明は、端末の第１〜第１１の実装方法にも適用可能であり、これらはここで再び繰り返されない。
【０１４５】
或いは、端末の第１〜第１１の実装方法に基づいて、端末は、ネットワーク側デバイスに対して端末の立ち上がり周期をページングメッセージが再送信された時間間隔のN倍に調整することを許可するように要求するために使用される要求メッセージを、ネットワーク側デバイスに送信するように構成された送信機を更に含んでもよい。受信機が含まれない実装方法に基づいて、端末は、ネットワーク側デバイスにより送信されて調整が許可されたことを示す応答を受信するように構成された受信機を更に含む。受信機が含まれる実装方法に基づいて、受信機は、ネットワーク側デバイスにより送信されて調整が許可されたことを示す応答を受信するように構成される。受信機が含まれるか否かに拘らない実装方法に基づいて、プロセッサ880は、ネットワーク側デバイスにより送信されて調整が許可されたことを示す応答を受信機702が受信した場合、端末の立ち上がり周期をページングメッセージが再送信された時間間隔のN倍に調整し、そうでない場合、端末の立ち上がり周期の進行中の調整を中断し、調整前の立ち上がり周期を変更しないままにするように更に構成される。ネットワーク側デバイスからの許可を要求する処理において、ネットワーク側デバイスは、端末の立ち上がり周期が調整されていることを学習してもよく、調整が実行されるべきか否かを制御してもよい。
【０１４６】
ネットワーク側デバイスからの許可を要求する対策が装置の第１０及び第１１の実装方法と組み合わされた場合、送信機及び受信機がネットワーク側デバイスからの許可を要求する処理をまず完了し、ネットワーク側デバイスにより送信されて調整が許可されたことを示す応答を受信ユニットが受信したことをプロセッサが判定した後に、予め設定された時間を待機する処理が実行されてもよい点に留意すべきである。或いは、プロセッサが予め設定された時間を待機する処理をまず実行し、送信機及び受信機がネットワーク側デバイスからの許可を要求する処理をまず完了し、ネットワーク側デバイスにより送信されて調整が許可されたことを示す応答を受信ユニットが受信したことをプロセッサが判定した後に、端末の立ち上がり周期が調整される。
【０１４７】
前述は本発明の特定の実施例の説明であり、特定の状況の特定の要件を満たすために、特定の実装処理の間に本発明の方法に適切な変更が行われてもよい。従って、本発明の特定の実装方法は単なる例であり、本発明の保護範囲を限定することを意図するものではないことが分かる。
【図１】
0005836491.tif 000002
【図２】
0005836491.tif 000003
【図３】
0005836491.tif 000004
【図４】
0005836491.tif 000005
【図５ａ】
0005836491.tif 000006
【図５ｂ】
0005836491.tif 000007
【図５ｃ】
0005836491.tif 000008
【図６ａ】
0005836491.tif 000009
【図６ｂ】
0005836491.tif 000010
【図６ｃ】
0005836491.tif 000011
【図７】
0005836491.tif 000012
【図８】
0005836491.tif 000013